(57)【特許請求の範囲】
【請求項１】
食生活支援情報ならびに貯蔵庫設定情報などの情報メニューを使用時期により分類し、前記情報メニューを時系列で初期設定情報とメイン操作情報に分割し、前記初期設定情報を表示する初期設定画面と、前記初期設定画面に続くメイン操作画面で構成し、情報メニューを任意に選択する選択手段と選択手段により選択された情報メニューで提供される情報を表示パネルおよび／または音声で出力する情報出力手段を備えた事を特徴とする情報発信装置。
【請求項２】
初期設定画面は、貯蔵庫設置情報を備え、電源投入時のみ表示して貯蔵庫使用前の確認採否を選択実行し、日時，曜日の設定を行うことを特徴とする請求項１に記載の情報発信装置。
【請求項３】
メイン操作画面は多面的な情報を提供するトップメニュー画面と、必要最小限の情報を提供するシンプル画面の２つから選択することを特徴とする請求項１に記載の情報発信装置。
【請求項４】
多面的な情報メニューとは、食支援情報と、貯蔵庫お手入れ情報と、画面設定情報と、貯蔵庫設定情報のうち、少なくとも２つ以上の情報メニューを提供ずるものであることを特徴とする請求項３に記載の情報発信装置。
【請求項５】
トップメニュー画面とシンプル画面は貯蔵庫の電源投入時、初期設定画面から選択することを特徴とする請求項３に記載の情報発信装置。
【請求項６】
トップメニュー画面は、日時，曜日を表示すると共に、多面的な情報メニューのうち、選択した設定メニュー項目を２画面で表示することを特徴とした請求項３または請求項４に記載の情報発信装置。
【請求項７】
シンプル画面は、日時，曜日の表示および多面的な情報メニューのうち少なくともひとつの情報メニューと、トップメニュー画面への復帰キーを備えることを特徴とする請求項３に記載の情報発信装置。
【請求項８】
最小限の情報メニューは、選択可能であることを特徴とする請求項７に記載の情報発信装置
【請求項９】
シンプル画面は、貯蔵庫運転時にはトップメニュー画面から選択することができることを特徴とする請求項８に記載の情報発信装置。
【請求項１０】
貯蔵庫設定情報のうち、温度設定画面は、設定している室およびその位置を示すと同時に、現在の温度を表示する事を特徴とする請求項４に記載の情報発信装置。
【請求項１１】
画面設定情報は、表示パネルの背景を複数色や模様の背景から選択することができることを特徴とする請求項４に記載の情報発信装置。
【請求項１２】
画面設定情報は、表示パネルにおける背景色と文字情報及び絵情報の明るさ，濃淡の関係を段階的に変えることができることを特徴とする請求項４に記載の情報発信装置。
【請求項１３】
画面設定情報は、出力する音声において音量の入り切りと、ボリュウムを段階的に調節する事ができることを特徴とする請求項４に記載の情報発信装置。
【請求項１４】
画面設定情報は、画面のお掃除モード機能を備え、前記お掃除モード機能の作動中は、表示パネルにさわっても一定時間は反応しないよう制御することを特徴とする請求項４に記載の情報発信装置。
【請求項１５】
表示パネルのお掃除モード設定時には、表示パネル上に絵情報やアニメーション情報、文字情報の表示、もしくは音声での情報出力のうち、２つ以上で情報提示することを特徴とする請求項１４に記載の情報発信装置。
【請求項１６】
貯蔵庫のお手入れ情報は、１週間，１ヶ月，１年と期間別に提供することを特徴とする請求項４に記載の情報発信装置。
【請求項１７】
貯蔵庫のお手入れ情報は、計時手段によって刻まれる年月日時をもとに情報提供するものであることを特徴とする請求項１６に記載の情報発信装置。
【請求項１８】
貯蔵庫設定情報には、ロック設定をかけることができることを特徴とした請求項４に記載の情報発信装置。
【請求項１９】
ロック設定したメニュー情報については、表示パネル上で情報メニューを視覚的に他のメニュー情報とは区別表示することを特徴とした請求項１８記載の情報発信装置。
【請求項２０】
貯蔵庫設定情報およびロック設定で設定した最終情報は、設定の最終表示画面において、文字情報と、それを表現する絵情報と、または音声で確定情報として提供するとともに、設定終了後は、前記絵情報がトップメニュー画面に反映されることを特徴とする請求項４に記載の情報発信装置。
【請求項２１】
食支援情報メニューは、アルゴリズムに基づいてランダムに表示することを特徴とした請求項４に記載の情報発信装置
【請求項２２】
食支援情報メニューのうち食品の旬や時事に関する情報は、計時手段によって刻まれる年月日時の情報に基づいて適正な時期に表示することを特徴とする請求項２１記載の情報発信装置。
【請求項２３】
食支援情報メニューは、選択手段を用いた情報内容と共有している事を特徴とする請求項２２記載の情報発信装置。
【請求項２４】
一画面で選択作業が必要な情報量を７つまでに限定し、複数階層に遷移させて末端情報まで一方向に進むことを特徴とした請求項２または請求項３に記載の情報発信装置。
【請求項２５】
各情報メニュー項目の情報量は２画面までとすることを特徴とした請求項２または請求項３に記載の情報発信装置。
【請求項２６】
表示パネルをタッチパネルとし、選択作業が必要な画面において、次の操作を表現する絵情報と、前記絵情報に対応した文字情報を併記し、前記絵情報と前記文字情報を共にタッチパネルの操作部とすることを特徴とした請求項１に記載の情報発信装置。
【請求項２７】
表示パネルをタッチパネルとし、表示パネルから一度指を離さないと、次の操作に移らない制御としたことを特徴とする請求項１または請求項２６に記載の情報発信装置。
【請求項２８】
選択作業が必要な画面において、画面に触れてから一定時間次の操作が無いときには、メインメニュー画面に復帰することを特徴とした請求項２７に記載の情報発信装置。
【請求項２９】
請求項１から請求項２８のいずれか一項に記載の情報発信装置を備えたことを特徴とする貯蔵庫。
【発明の詳細な説明】
【０００１】
【発明の属する技術分野】
本発明は、冷蔵庫本体の設定情報および食生活を支援するための情報を提供する情報発信装置及び情報発信装置を備えた貯蔵庫に関するものである。
【０００２】
【従来の技術】
近年、健康志向を背景にした食生活の管理や食品の安全性管理、また主婦の有職化などによる手間をかけないおいしさ志向を背景にした合理的且つ豊かな食生活の工夫を支援していくための情報が求められ、新聞、雑誌、テレビなどのメディアに加えて最近ではインターネットなどの情報通信網を通じて様々な情報を探索することが可能となってきている。
【０００３】
また一方で、家庭における食生活のベースとして普及している冷蔵庫などの貯蔵庫についても、庫内の在庫管理や貯蔵期限管理を行う機能を備えたものの提案が従来からなされており、たとえば食品の管理機能を持たせた冷蔵庫の一例として、特開平４―２９５５８４号に記載されたものが知られている。
【０００４】
以下、図面を参照しながら上記従来の貯蔵庫である冷蔵庫を説明する。
【０００５】
図１１は、従来の冷蔵庫の概略構成図である。図１２は同冷蔵庫の機能ブロック図である。図１１において、冷蔵庫本体１は、前面開口部に扉２を天面に制御装置３を設けている。扉２は外表面の一部に入出力装置４を設けている。
【０００６】
図１２において、入出力装置４はバーコードリーダ５、テンキー６およびそれらを制御するための入出力制御部７とバーコードリーダ５で読み取ったバーコードを解読するためバーコードデータベース８を備えている。食品管理部９は入出力装置４により入力された日からメモリ１０に蓄えられた経過日数に基づき賞味期限管理を行い賞味期限が過ぎた食品が存在するときには、表示部１１により使用者に警告する。また、システムコントロール部１２は、入出力制御部７と食品管理部９間のデータを中継し、制御する。
【０００７】
以上のように構成された冷蔵庫について、以下その動作を説明する。
【０００８】
使用者が食品を冷蔵庫に入庫する際、バーコードリーダ５で食品に記載されているバーコードを読み取る。読み取ったバーコードデータは制御装置３で処理され、表示部１１に食品名、数量、日付等を表示する。バーコードが記載されていない食品は、表示部１１に表示された食品名よりテンキー６で選択して入庫登録をする。
【０００９】
入力された食品データは、随時表示部１１で確認でき、食品を入庫した日付、製造年月日、食品名、数量、食品の保存状態などが表示される。ここで、食品の保存状態は、入庫してから現在までの経過日数と賞味期限データとを比較して決定され、保存期間が長くなったり賞味期限を過ぎた場合は警告音や警告灯により使用者に注意を促すものである。
【００１０】
【発明が解決しようとする課題】
しかしながら、上記従来の構成は、システムコントロール部１２が食材の管理のみに使われており、情報発信としては単一で、約１０年長期に渡って使用する冷蔵庫の特性から発信する必要のある情報については不十分であった。また、冷蔵庫の温度設定などに必要な表示画面を別に提供する必要があった。
【００１１】
また、情報内容が様々なので入力に手間がかかるとともに、すべての情報を認識することが難しかった。また、これらの情報を一画面上に並列すると選択項目が多く、使用者は冷蔵庫の前に長時間立って操作する必要があり、誰もが使う冷蔵庫であるにも関わらず、お年寄りから子どもまで誰もが使いやすいものではなかった。また、冷蔵庫に表示画面がある場合、立位で短時間（秒単位）で操作できることが求められ、かつ調理中などストレスがある状態で操作することも考えられるため、その使用状態に適した操作画面が望まれていた。
【００１２】
本発明は従来の課題を解決するもので、合理的で豊かな食生活を支援する為の多彩な情報メニューと冷蔵庫の設定情報および画面の設定情報を備え、表示パネルにおいては操作性，視認性を向上させて人間の認知特性に基づいた情報発信を行う情報発信装置及び情報発信装置を備えた貯蔵庫を提供することを目的とする。
【００１３】
【課題を解決するための手段】
本発明の請求項１に記載の発明は、食生活支援ならびに貯蔵庫本体の情報など多面的な情報メニューを使用目的によって分類し、時系列に初期設定情報とメイン操作情報に分割したものであり、冷蔵庫の設置から使用にあたっての情報を必要に応じて提供する。
【００１４】
請求項２に記載の発明は、請求項１に記載の発明において、初期設定画面を電源投入時のみ表示して冷蔵庫使用前の確認採否を選択実行し、日時，曜日の設定を行うものであり、冷蔵庫設置時における初期設定の情報を使用者に正しく、タイミングよく提供する。
【００１５】
請求項３に記載の発明は、請求項１に記載の発明において、メイン操作画面は多面的な情報を提供するトップメニュー画面と、必要最小限の情報を提供するシンプル画面の２つから選択するものであり、使用目的に応じてより使いやすい表示パネルを提供する。
【００１６】
請求項４に記載の発明は、請求項３に記載の発明において、多面的な情報メニューである食支援情報、貯蔵庫のお手入れ情報、画面設定情報、貯蔵庫設定情報のうち、少なくとも2つ以上の情報メニューを提供するものであり、貯蔵庫仕様のために必要な情報，食生活に関連した便利な情報など豊かな情報を提供する。
【００１７】
請求項５に記載の発明は、請求項３に記載の発明において、トップメニュー画面とシンプル画面が貯蔵庫の電源投入時に、初期設定画面から選択するものであり、予め使用する画面がわかっている時に効率よく表示パネルを選択する事ができる。
【００１８】
請求項６に記載の発明は、請求項３または請求項４に記載の発明において、トップメニュー画面に、日時・曜日を表示すると共に、多面的な情報メニューのうち、選択した設定メニュー項目を２画面で表示するものであり、メニュー情報の活用度を高めると共に操作性，視認性のよい表示パネルを提供する。
【００１９】
請求項７に記載の発明は、請求項３に記載の発明において、シンプル画面に日時，曜日の表示および最小限の情報メニューとトップメニュー画面への復帰キーを備えたものであり、使用するメニュー情報が少ない時に便利な表示パネルを提供する。
【００２０】
請求項８に記載の発明は、請求項７に記載の発明において、シンプル画面の最小限の情報メニューが自分で選択することができるものであり、使用頻度，目的に応じた表示パネルを提供する。
【００２１】
請求項９に記載の発明は、請求項８に記載の発明において、貯蔵庫運転時には、シンプル画面をトップメニュー画面から選択することができるものであり、任意に画面を選択する事ができる。
【００２２】
請求項１０に記載の発明は、請求項４に記載の発明において、冷蔵庫の温度設定時、表示パネル上に設定している室およびその位置と現在の温度を表示したので、温度設定の変更をスムーズに行う事ができる。
【００２３】
請求項１１に記載の発明は、請求項４に記載の発明において、表示パネルの背景を複数色や模様の背景から選択することができるものであり、使用者の使いやすさや好みにあわせて表示パネルを選択することができる。
【００２４】
請求項１２に記載の発明は、請求項４に記載の発明において、表示パネルの背景色と文字情報及び絵情報の明るさ・濃淡を段階的に変えることができるものであり、使用者の使いやすさにあわせて画面が選択できると共に視認性を向上させる事ができる。
【００２５】
請求項１３に記載の発明は、請求項４に記載の発明において、出力する音声の入り切りと、ボリュウムを段系的に調節することができるものであり、使用者の身体的特徴にあわせたインターフェイスを提供できる。
【００２６】
請求項１４に記載の発明は、請求項４に記載の発明において、表示パネルのお掃除モード機能を備え、お掃除モード機能の作動中は、表示パネルにさわっても一定時間は反応しないので、画面が遷移することなく表示パネルの掃除を行う事ができる。
【００２７】
請求項１５に記載の発明は、請求項１４に記載の発明において、表示パネルのお掃除設定時の画面上に絵やアニメーション、文字情報の提示及び音声情報でフォローするので、行動を想起しやすい。
【００２８】
請求項１６に記載の発明は、請求項４に記載の発明において、貯蔵庫のお手入れの情報を、１週間、１ヶ月、１年と期間ごとに表示したものであり、取扱説明書などで確認することなく、簡便に掃除を行う事ができる。
【００２９】
請求項１７に記載の発明は、請求項１６に記載の発明において、貯蔵庫のお手入れ情報を計時手段によって刻まれる年月日時をもとに情報提供するものであり、特に１年に一度の掃除など、時間が長い時に忘れることなく、情報を提供することができる。
【００３０】
請求項１８に記載の発明は、請求項４に記載の発明に、さらに、貯蔵庫設定情報のメニュー項目にロック設定をかけることができるものであり、不用意に設定変更を行えない様にすることができる。
【００３１】
請求項１９に記載の発明は、請求項１８に記載の発明において、ロック設定がかかっているメニュー情報については、表示パネル上で情報が他と違う事を視覚的に示すものであり、情報の認識をしやすくするものである。
【００３２】
請求項２０に記載の発明は、請求項４に記載の発明において、冷蔵庫設定情報およびロック設定する最終画面において、設定した最終情報を文字情報と絵情報で確定情報として提示し、音声でフォローするとともに、設定終了後は、絵情報がトップメニュー画面に反映されるものであり、確定情報を確認しやすくするとともに、トップメニュー画面において設定情報を確認する事ができる。
【００３３】
請求項２１に記載の発明は、請求項４に記載の発明において、食支援情報メニューをアルゴリズムに基づいてランダムに表示するものであり、検索操作を伴わないおもしろさ，遊び心を提供する。
【００３４】
請求項２２に記載の発明は、請求項２１に記載の発明において、食支援情報メニューのうち、旬や時事に関する情報を計時手段によって刻まれる年月日時をもとに表示するものであり、情報を適切な時期に提供することができる。
【００３５】
請求項２３に記載の発明は、請求項２２に記載の発明において、食支援情報メニューを検索による情報内容と共有するものであり、記憶手段の容量を有効に活用する事ができる。
【００３６】
請求項２４に記載の発明は、請求項２または請求項３に記載の発明において、一画面で選択作業が必要な情報量を７つまでに限定し、複数階層に遷移させて末端情報まで一方向に進む表示パネルによる検索作業が苦手な方にも使いやすい表示パネルを提供する。
【００３７】
請求項２５に記載の発明は、請求項２または請求項３に記載の発明において、各情報メニュー項目の情報量を２画面までとするものであり、情報の簡素化による記憶手段の有効活用と、表示パネル上では情報の認識しやすさを提供する。
【００３８】
請求項２６に記載の発明は、請求項１に記載の発明において、表示パネルをタッチパネルとし、選択作業が必要な画面において、次に必要な操作を表現する絵情報と、絵情報に対応した文字情報を併記して、共にタッチパネルの操作部としたものであり、スイッチ選択に迷いがない操作しやすい表示パネルを提供する。
【００３９】
請求項２７に記載の発明は、請求項１または請求項２６に記載の発明において、表示パネルをタッチパネルとし、表示パネルから一度指を離さないと、次の操作に移らない制御を加えたものであり、選択する意思とは関係なく次の選択を行う誤りを防ぐ。
【００４０】
請求項２８に記載の発明は、請求項２７に記載の発明において、選択作業が必要な画面において、画面に触れてから一定時間次の操作が無い時には、メインメニュー画面に復帰するものであり、無意識に画面に触れてしまった時でも自動で戻り、使用する時には常にメインメニュー画面を提供する。
【００４１】
請求項２９に記載の発明は、請求項１から請求項２８のいずれか一項に記載の情報発信装置を備えた貯蔵庫であり、使用者が操作しやすい表示パネルを提供するとともに、食生活や貯蔵庫の使用に役立つ情報が身近に利用できる。
【００４２】
【発明の実施の形態】
以下、本発明による情報発信装置及び情報発信装置を備えた貯蔵庫の実施の形態について、図面を参照しながら説明する。なお、従来と同一構成については、同一符号を付して、詳細な説明を省略する。
【００４３】
（実施の形態１）
図１は本発明の実施の形態１による情報発信装置の機能ブロック図である。図２は同実施の形態の情報発信装置による初期設定画面の画面遷移図である。図３は同実施の形態の情報発信装置によるメイン画面の画面遷移図である。図４は同実施の形態の情報発信装置を備えた貯蔵庫の斜視図である。
【００４４】
図１，図４において、情報発信装置１０１はマイクロコンピューターによる制御手段１０２を中核にして各種情報を入力するための情報入力手段１０３と使用者に対して必要な情報を出力する情報出力手段１０４及びＲＡＭ，ＲＯＭなどで構成される記憶手段１０５を備えている。
【００４５】
本実施例の形態では、記憶すべきデータ容量が大きくなるため制御手段１０２の外部に記憶手段１０５を備える構成としたが、取り扱うデータ容量の大きさによっては制御手段１０２に内蔵される記憶部（図示せず）を用いてもよく、記憶手段１０５の記憶の一部を分担させてもよい。
【００４６】
情報出力手段１０３は、使用者が指の操作で表示画面上から直接入力できる液晶ディスプレイに設けたタッチパネルスイッチ１０６を備えている。
【００４７】
情報出力手段１０４は、液晶ディスプレイによる表示パネル１０７と音声を出力するためのスピーカー１０８を備えている。
【００４８】
記憶手段１０５は、情報入力手段１０３により使用者が入力した情報を記憶する情報記憶手段１０９を備え、使用者に対する多面的な情報メニューとなる貯蔵庫（以下冷蔵庫という）の初期設定情報１１０，トップメニュー情報１１１，簡単メニュー情報１１２と、制御手段１０２に備えたタイマーによる計時手段１１３で計時した所定時間からの経過時間を記憶する経過時間記憶手段１１４を備えている。
【００４９】
そして、制御手段１０２は、冷蔵庫制御手段１１５と情報の入出力を制御するための情報入出力制御手段１１６を備え、情報入力手段１０３からの使用者による入力情報と、記憶手段１０５の各情報メニューに記憶された情報を関連付け、適切な情報を選択して情報出力手段１０４によって使用者に情報提供するとともに、情報入力手段１０３および情報出力手段１０４を使用者に使いやすいものに提供するものである。
【００５０】
初期設定情報１１０は冷蔵庫設置情報１１８、ップメニュー情報１１１は冷蔵庫のお手入れ情報１１８，画面設定情報１１９，食支援情報１２０，冷蔵庫設定情報１２１を備えており、簡単メニュー情報１１２は冷蔵庫設定情報１２１の中の温度設定情報１２２を共有している。
【００５１】
上述の情報発信装置１０１は、たとえば図４に示されるような貯蔵庫１２３（以下、冷蔵庫１２３という）の前面に設けた扉１２４の表面に取りつけられ、庫内に設けられた貯蔵室１２５，１２６，１２７の運転状態などの情報を含めて使用者に提供する。
【００５２】
図２において、表示パネル１０８には初期設定情報１１０を表示するスタート画面２０１が表示されている。表示画面２０１で使用前の確認をする時、「確認する」を押すと、次に表示画面２０２で冷蔵庫設置情報１１７に基づき、冷蔵庫使用前の確認事項が表示される。（例、「▲１▼冷蔵庫の固定をしましょう。調整方法は…。ドア段差の調整をしましょう。調整方法は…。」）このとき、例えば冷蔵庫使用前に行わないと機能の効果が得られない項目（例、「抗菌カセットのシールをはがして下さい））を表示し、使用者に作業を促すこともできる。また、引っ越しなどで冷蔵庫の電源を抜き差しし、改めて確認する必要がない時などは、「確認しない」のアイコンを押すことにより表示画面２０２をスキップし、次のメニュー項目に進むことができる。
【００５３】
次に、冷蔵庫使用前の確認事項が終了したことを表示画面２０３で示し、日時設定の表示画面２０４，２０５に進む。日時設定では、数字を上下のアイコンで適正な日時に設定し、「ＯＫ」を押すと順次画面が遷移し、最終的に設定した日時を表示画面２０６で示す。次に表示画面２０６で「はい」を押すと表示画面２０７に遷移し、ここで日時設定が終了したことを表示するとともに、冷蔵庫運転中のメイン操作画面である２つの画面を選択する事ができる。ここで、「シンプル画面」を押すと簡単メニュー情報１１２を提供するシンプル画面２０８、「メニュー画面」を押すと多面的なメニューを提供するトップメニュー情報１１１をトップメニュー画面２０９で表示する。
【００５４】
表示画面２０１から表示画面２０７までが初期設定画面２１０であり、初期設定画面２１０は冷蔵庫の電源投入時のみ表示される。また、シンプル画面２０８とメニュー画面２１０は冷蔵庫運転中に使用者が操作を行うメイン操作画面であり、冷蔵庫の電源投入時には、初期設定画面２０１より選択することができる。
【００５５】
以上のように、初期設定画面２０１で冷蔵庫使用前の確認事項を表示することで、電源を入れるだけで終わりと思われがちな冷蔵庫の設置に対して適正な設置情報を提供すると共に、冷蔵庫に搭載されている機能の効果を適正に得る為に設置時に行う必要がある事項については、取扱説明書などで確認することなく、一連の流れの中でその行動を促す事ができる。
【００５６】
また、電源投入時のみ表示される構成としたので、冷蔵庫設置時に必要な情報のみ提示でき、使用者に混乱がなく適切な時期に適切な情報を提供する事ができる。また、予め、冷蔵庫運転中に使用したいメイン操作画面がわかっている場合は、例えば販売店の方が設置から画面選択まで行うサービスを行うこともできる。
【００５７】
一方、図３は、メイン操作画面であるシンプル画面２０８とトップメニュー画面２０９ａ、２１０ｂの関係を示している。表示画面２０９から「メニュー画面」を選択し表示されるトップメニュー画面２０９は、計測手段１１３で計時した日時を表示するとともに、多面的な情報のうち６つを情報メニューとして２画面に渡って表示しており、この２画面は「次」「前」を押すことにより画面が遷移する。（例、省エネナビ、伝言メモ、食ナビ、買い物リスト、在庫リスト、冷蔵庫設定の６メニューが２画面に渡って表示される）
トップメニュー画面２０９で冷蔵庫の温度設定を変える場合、トップメニュー画面２０９ａから「次」を押してトップメニュー画面２０９ｂに進み、「冷蔵庫設定」を押して冷蔵庫設定の表示画面２１１を表示する。次に、「庫内温度」を押すと、冷蔵庫の温度設定を表示する表示画面２１２に移り、ここで設定したいと思う室（例、冷蔵室）の温度設定を行い、その入力情報に基づいて冷蔵庫設定情報１２１により冷蔵庫制御手段１１５が制御される。
【００５８】
設定終了後は「もどる」で順次前の画面に遷移し、最終的にトップメニュー画面２０９ａまでもどり一連の操作は終了する。表示画面２１３での設定終了後は、自動的にトップメニュー画面２０９ａにもどってもよく、一定時間タッチパネルスイッチ１０６に触れられなかった時は自動的にトップメニュー画面にもどってもよい。後者の制御は誤ってタッチパネルスイッチ１０６に触れられ、画面が遷移したときに自動でトップメニュー画面に戻る制御としても活用できる。
【００５９】
一方、シンプル画面２０８では、日時の表示と、トップメニュー画面２０９に復帰する「メニュー」アイコンとともに、必要最小限の情報、ここでは「庫内温度」が表示されている。「メニュー」を押すと、トップメニュー画面２０９に遷移する。シンプル画面２０８において、庫内温度設定を変えるときには、「庫内温度」をおすと、表示画面２１３に遷移し、温度設定を行うことができる。
【００６０】
以上のように、トップメニュー画面２０９のように多面的な情報を表示する場合は、２画面に分割して表示することで操作性，視認性を向上できる。例えば、一画面で選択作業が必要な情報が１０項目ある場合、一度に情報を認識できる量ではない為、使用者は表示した情報を確認し目的とする情報を選択するのに時間がかかるが、このように一画面の選択情報量を限定することで画面構成をシンプルにでき視認性が向上するとともに、アイコン配列が十分にとれるので押し誤りがなく操作性も向上する。人間が一度に覚えることができる情報量は最大で７±２、通常で３±２と言われており、一画面で選択が必要な情報をこの範囲におさえるとより効果的である。また、２画面なので全体の情報メニューを一作業（「次」もしくは「前」を押す）で確認でき手間もかからない。また、一画面の情報が少ないので、表示画面の大きさが例えば縦４ｃｍ×横８ｃｍといった小さい画面においても対応することができる。
【００６１】
また、シンプル画面２０８においては、トップメニュー情報１１２の多面的な情報のうち、必要最小限の情報を表示するので、特にタッチパネル方式の操作に抵抗のある高齢者の方にとって使いやすい表示画面を提供することができる。
【００６２】
さらに、表示画面においては、次の操作を想起する絵情報と絵情報に対応した文字情報の２つがアイコンで提示されているが、どちらか一方が操作スイッチとされていると、使用者によって操作に混乱が生じる。ここでは、このどちらを押しても次の画面に遷移することで混乱を防ぎ，操作性のよい画面を提供する。
【００６３】
さらに、タッチパネル方式は画面に触れることで次の画面に遷移するが、触れた位置に次の画面のアイコンがあると、指を離すのが遅れた時に選択する意思とは関係なく画面が遷移する懸念がある。特に高齢者は反応が遅れる事が考えられる為、表示画面から一度指を離さないと次の操作が行えないよう制御すると、よりタッチパネルの使い勝手が向上する。
【００６４】
（実施の形態２）
図５は本発明の実施の形態２による冷蔵庫の温度設定を示す画面遷移図である。
【００６５】
図５において、表示画面２１２の冷蔵庫設定画面より「庫内温度設定」を押すと設定画面にあたる表示画面３０１、３０２に遷移する。使用者は、設定したい部屋を「次」「前」で選択し、温度設定を「弱」「中」「強」から選択する。使用者の入力情報により、冷蔵庫設定情報１２１に基づき冷蔵庫制御手段１１５により冷蔵庫の運転状態を制御する。このとき、表示画面３０１，３０２上では選択している室の位置が表示されるとともに、現在の温度が表示される。
【００６６】
表示画面上で部屋の位置を表示することにより、設定している室の認識を促し、設定間違いを軽減する。特に一つの部屋で、冷蔵室・野菜室・パーシャル室・冷凍室など複数の温度帯を設定することができるセレクト室において有効である。また、現在の設定と温度を同時に確認できるので、設定変更をスムーズに行う事ができる。
【００６７】
（実施の形態３）
図６は本発明の実施の形態６による画面設定の画面遷移図である。
【００６８】
図６において、表示画面２１２の冷蔵庫設定画面より「画面設定」を選択すると、次に表示画面４０１で画面設定のメニュー情報が表示される。表示画面４０１で「コントラスト」を選択すると、文字と背景色のコントラストを調節できる画面表示４０２に遷移し、「背景色」を選択すると、背景色の色（例、オレンジ、緑）と背景の模様を選択できる画面表示４０３に遷移し、また、「音声」を選択すると、スピーカー１０９の入り切りとボリュウムを調節できる表示画面４０４に遷移する。表示画面４０２，４０３，４０４からの入力情報によって、情報入出力制御手段１１６により、情報出力手段１０４を制御する。
【００６９】
以上のように表示画面の設定を変えられるので、使用者が自分の好みや使いやすさにあわせて背景色を設定できたり、音量を調節することができるとともに、操作性も向上する。身体的特徴（視覚、聴覚の衰えなど）に対応し、誰もが使いやすい操作画面を提供する。
【００７０】
他方、表示画面４０１で「お掃除モード」を選択すると、表示画面４０５に遷移し、情報入出力制御手段１１６によりタッチパネルスイッチ１０６を一定時間は画面にふれても反応しないモードに制御する。
【００７１】
これにより、汚れやすいタッチパネル画面の掃除を容易にすることができ、掃除中に反応して画面が遷移する心配がない。また、表示画面４０５で文字情報（例、画面をふいてください）や動画の情報（例、星が画面を掃除しているようなアニメーション）を表示することで、使用者の動作を促すとともに、提供される動画の楽しい情報によってタッチパネル操作ヘの抵抗感を軽減する。
【００７２】
（実施の形態４）
図７は本発明の実施の形態４による冷蔵庫のお手入れを示す画面遷移図である。
【００７３】
図７において、冷蔵庫のお手入れメニューを示す表示画面５０１で「週１回」を選ぶと、表示画面５０２に遷移し、冷蔵庫お手入れ情報１１１から適正な情報を提供する。（例、自動製氷機の給水フィルター、浄水フィルターは水洗いしてください）また、表示画面５０３において「月１回」を選ぶと、表示画面５０３に遷移し、同様に情報を提供する。（例、外側の汚れは中性洗剤を使い、ぬるま湯を含ませた布でふきます）さらに、表示画面５０１で「年１回」を押すと、表示画面５０４に遷移し、同様に情報を提供する（例、電源プラグのホコリは乾いた布でふき取ってください）情報提供画面である５０２，５０３，５０４は情報が多い時は２画面に渡ってもよい。また、１年に１回の掃除など忘れやすいものは、計時手段１１４の時間計測により適正な時間に情報を提供し、より効果的な情報を得ることもできる。
【００７４】
以上のように情報を提供すると、取扱説明書を見る手間を省いて冷蔵庫のお手入れができる。表示画面で絵情報で掃除方法がわかる様に情報提供するとより使いよい。適正な時間に情報提供できると、交換部品の存在をＰＲし、交換を促すこともで、また、約１０年間という長い期間使用する冷蔵庫に特有の情報を提供することができる。
【００７５】
（実施の形態５）
図８は本発明の実施の形態５によるシンプル画面２０８の設定を示す画面遷移図である。
【００７６】
図８において、表示画面６０１は、多面的なトップメニュー情報１１１の中の冷蔵庫設定メニューを表示している。メニュー情報のひとつである「シンプル画面」を選択すると、表示画面６０２でシンプル画面メニューが表示される。表示画面６０２で「シンプル設定」を選択すると、簡単メニュー情報１１２に基づいて、メイン操作画面がシンプル画面２０８に切り替わる。また、表示画面６０２で、「メニュー選択」を押すと、表示画面６０３に遷移し、シンプル画面２０８の庫内温度アイコンにあたる部分を選択できるアイコンが表示される。表示画面６０３では、例えば「急凍・急冷」「伝言メモ」「温度設定」を選択することができる画面となっている。
【００７７】
以上のように、冷蔵庫運転中にシンプル画面２０８を任意に選択することができるので、使用目的に応じた設定が可能である。また、シンプル画面２０８に必要な情報を自ら選択することが可能なので、より使用者の要望にあった画面に変える事ができる。さらに、トップメニュー画面２０９から遷移すると、目的とする最終情報まで複数の画面を操作，遷移しなければならない場合には、ショートカット機能としても活用できる。ショートカット機能は、使用者がよく操作に慣れた場合に有効である。また、表示画面６０３の情報メニューは、多面的な情報メニューの使用頻度から上位項目を自動で表示すると、よりショートカット機能として有効に機能する。
【００７８】
（実施の形態６）
図９は本発明の実施の形態６による設定ロックを示す画面遷移図である。
【００７９】
図９において、表示画面６０２から「設定ロック」を押すと、ロックを設定・解除する表示画面７０１に進む。ここで「ロック」を押すと、表示画面７０１上に設定したことを文字情報（例、「ロックを設定しました」）とトップメニュー画面に反映する絵情報（例、ロックアイコンを示す鍵）で表示画面７０２のように一定時間表示する。ここで設定したことを音声でフォローしてもよい。
【００８０】
次に、設定情報を使用者が確認すると、表示画面７０１から「もどる」を押して、前の画面に戻るが、このとき設定入力前の表示画面６０２が表示画面７０３に、表示画面２１２が表示画面７０４の状態に変わり、設定にロックがかかっている情報を破線で表示したり、ロックアイコンを併記することでその設定が選択できないほかとは違う情報になって入る事を視覚的に示す。さらに、「もどる」を押してメイン操作画面に戻ると、トップメニュー画面２０９ｂ上にロックアイコンが示され表示画面７０５の状態に変化している。他方、ロック設定を解除するときは、表示画面７０５から「冷蔵庫設定」を押して、表示画面７０４、７０３に進み、「設定ロック」を選択する。表示画面７０１で「ロック解除」を選択すると、文字情報（例、ロックを解除しました）を一定時間表示したのち、表示画面７０１にもどる。
【００８１】
以上のように、設定情報がトップメニュー画面２０９に反映されるので、何も操作を行わなくても設定にロックがかかって入る情報を視覚的に確認する事ができる。また、ロック設定をするときには、設定画面においてトップメニュー画面２０９に反映する絵情報を文字情報と同時に表示させることで関連性をつかむことができる。これは、トップメニュー画面２０９に反映されるアイコンの数が多い時、より有効である。例えば、冷蔵庫の設定においては、「急凍」「急冷」「自動製氷」「省エネモード」など様々な機能があり、それぞれに対応した絵情報を設定し表示する事ができる。また、タッチパネル方式では、スイッチの押し応えがないことから使用者に不安を与える事が多いが、設定した確定情報を文字情報とアイコンに加えて、音声情報でフォローする事で、認識を向上させる事ができる。
【００８２】
（実施の形態７）
図１０は本発明の実施の形態７による画面遷移図である。
【００８３】
図１０において、表示画面８０１の「ちえコロ」を押すと、表示画面８０２でちえコロが転がるアニメーションが表示され、このアニメーションを表示する時間内に食支援情報１２０からアルゴリズムに基づいてランダムに情報を選択し、表示画面８０３、８０４のように献立情報、栄養情報として表示する。また、旬の情報や時事情報については、計時手段１１３の情報と連動して適切な時期に情報を提示する。
【００８４】
以上のように、多面的な情報をランダムに表示することで、何が出てくるかわからないギャンブル性、情報を入手する楽しさを提供するとともに、食生活に関する情報を手軽に活用でき、かつ、時事情報については適正な時期に情報を得る事ができる。また、これらの情報をトップメニュー画面２０９から目的にあわせた情報として検索する場合、情報を共有化することにより情報記憶手段の記憶容量を軽減する事ができる。情報検索中にはアニメーションが表示されるので、使用者は待ち時間を気にすることなく、また不用意に画面に触れる機会を軽減し、適切に情報を得る事ができる。また、情報選択時や提供時に、軽快な「ポン！」という音を鳴らすと、より遊び心が増し、使用頻度も向上する。
【００８５】
また、ちえコロの情報メニューに占いやバイオリズム、さらにスロットマシーンのようなギャンブル性を持たせることで、より情報検索の遊び心が増し、画面操作への抵抗を軽減することができる。
【００８６】
【発明の効果】
以上説明したように本発明の請求項１に記載の発明は、情報の目的により時系列で初期設定情報とメイン操作情報に分割したので、多面的な情報を貯蔵庫の設置から貯蔵庫使用時に渡って適時、適切に提供することができる。
【００８７】
請求項２に記載の発明は、請求項１に記載の発明において、初期設定画面を電源投入時のみ表示したので、貯蔵庫設置に必要な情報のみを効率よく提供することができ、正しく貯蔵庫を使用できる。
【００８８】
請求項３に記載の発明は、請求項１に記載の発明において、メイン操作画面を多面的な情報を提供するトップメニュー画面と、必要最小限の情報を提供するシンプル画面の２つから選択するので、使用目的や使用対象者に応じてより使いやすい表示パネルを提供し、使い勝手を高めることができる。
【００８９】
請求項4に記載の発明は、請求項３に記載の発明において、多面的な情報メニューである食支援情報、貯蔵庫お手入れ情報、画面設定情報、貯蔵庫設定情報のうち少なくとも２つ以上の情報メニューを提供するので、より豊かな食生活の支援と貯蔵庫の使い勝手の向上を図ることができる。
【００９０】
請求項５に記載の発明は、請求項３に記載の発明において、トップメニュー画面とシンプル画面が貯蔵庫の電源投入時に、初期設定画面から選択できるので、予め使用する画面がわかっている時に効率よく表示パネルを選択する事ができる。
【００９１】
請求項６に記載の発明は、請求項３または請求項４に記載の発明において、トップメニュー画面に、日時，曜日の表示と、多面的な情報メニューのうち選択した設定メニュー項目を２画面で表示するので、操作性，視認性のよい表示パネルを提供することができ、各メニュー情報の活用度を高めることができる。
【００９２】
請求項７に記載の発明は、請求項３に記載の発明において、シンプル画面に日時，曜日の表示および最小限の情報メニューとトップメニュー画面への復帰キーを備えたので、使用するメニュー情報が少なくてよい場合に煩雑さがなく判りやすい表示パネルを提供することができる。
【００９３】
請求項８に記載の発明は、請求項７に記載のシンプル画面における最小限の情報メニューを自分で選択することができるので、情報メニューの使用頻度に応じた表示パネルを提供でき、深い階層へのショートカットとしても活用できて自由度を高めることができる。
【００９４】
請求項９に記載の発明は、請求項８に記載の発明において、貯蔵庫の運転中にはシンプル画面をトップメニュー画面から選択することができるので、任意な画面選択が可能となり、使用者のニーズに応えることができる。
【００９５】
請求項１０に記載の発明は、請求項４に記載の発明において、冷蔵庫の温度設定時には表示パネル上に設定している室とその位置及び現在の温度を表示したので、一画面で情報を確認でき、温度設定の変更をスムーズに行う事ができる。
【００９６】
請求項１１に記載の発明は、請求項４に記載の発明において、表示パネルの背景を使用者の好みや気分に応じて複数色や模様の背景から選択することができる。
【００９７】
請求項１２に記載の発明は、請求項４に記載の発明において、表示パネルの背景色と文字情報及び絵情報の明るさ，濃淡を段階的に変えることができるので、使用者の好みや使いやすさにあわせて画面が選択できると共に視認性を向上させる事ができる。
【００９８】
請求項１３に記載の発明は、請求項３に記載の発明において、音量の入り切り設定と、ボリュウムを段階的に調節する事ができるので、使用者の使いやすさに応じて設定を変更できる。
【００９９】
請求項１４に記載の発明は、請求項４に記載の発明において、表示パネルのお掃除モード設定時には、表示パネルにさわっても一定時間は反応しないので、意思に反する画面の遷移を心配することなく表示パネルの掃除を行う事ができる。
【０１００】
請求項１５に記載の発明は、請求項１４に記載の発明に、さらに設定時の画面上に絵やアニメーション、文字情報の提示及び音声情報でフォローするので、行動を想起しやすくできる。
【０１０１】
請求項１６に記載の発明は、請求項４に記載の発明において、貯蔵庫のお手入れの情報を、１週間、１ヶ月、１年と期間ごとに表示したので、取扱説明書などで確認することなく、簡便に掃除を行う事ができる。また、使用者に対するメンテナンスの啓蒙にもなるので、結果として貯蔵庫を上手に長く使ってもらえる。
【０１０２】
請求項１７に記載の発明は、請求項１６に記載の発明において、貯蔵庫のお手入れ情報を計時手段によって刻まれる年月日時をもとに情報提供するので、適切な時期に情報を提供することができる。
【０１０３】
請求項１８に記載の発明は、請求項４に記載の発明に、さらに、設定メニュー情報の項目にロック設定ができるので、不用意な設定変更や使用者の意思に反する設定変更を防止できる。
【０１０４】
請求項１９に記載の発明は、請求項１８に記載の発明に、ロック設定がかかっているメニュー情報を区別表示して視覚的に設定できないことを示すので、情報が認識しやすく戸惑うことがない。
【０１０５】
請求項２０に記載の発明は、請求項４に記載の発明において、貯蔵庫本体の情報を設定する画面で、設定した最終情報を文字情報と絵情報で提示し、音声でフォローし、絵情報はトップメニュー画面に反映されるので、貯蔵庫設定時の確定情報を確認しやすくするとともに、トップメニュー画面において何も操作しなくても貯蔵庫の設定情報を確認する事ができ面倒さがなく使い勝手が向上する。
【０１０６】
請求項２１に記載の発明は、請求項４に記載の発明において、多面的な情報メニューをアルゴリズムに基づいてランダムに表示するので、何が出てくるかわからない楽しさとともに、豊富な情報を随時提供する事ができ、情報発信装置自体に使用者をなじませることができる。
【０１０７】
請求項２２に記載の発明は、請求項２１に記載の発明に、旬や時事に関する情報については計時手段によって刻まれる年月日時をもとに情報提供するので、情報を適切な時期にタイミングよく提供することができる。
【０１０８】
請求項２３に記載の発明は、請求項２２に記載の発明において、情報メニューを検索による情報内容と共有するので、記憶手段の容量を有効に活用する事ができ、電子部品の低コスト化の一助とすることができる。
【０１０９】
請求項２４に記載の発明は、請求項２または請求項３に記載の発明において、一画面で選択作業が必要な情報量を７つまでに限定し、複数階層に遷移させて末端情報まで一方向に進むので、視認性，操作性が向上し、表示パネルによる検索作業が苦手な方にも使いやすい表示パネルを提供できる。
【０１１０】
請求項２５に記載の発明は、請求項２または請求項３に記載の発明において、各情報メニュー項目の情報量を２画面までとしたので、情報の簡素化による記憶手段の容量の有効活用と、表示パネル上では情報の認識しやすさを提供できる。
【０１１１】
請求項２６に記載の発明は、請求項１に記載の発明において、表示パネルをタッチパネルとし、選択作業が必要な画面を、次に必要な操作を表現する絵情報と、絵情報に対応した文字情報を併記し、共にタッチパネルの操作部としたので、スイッチ選択に迷いがない操作しやすい表示パネルを提供できる。
【０１１２】
請求項２７に記載の発明は、請求項１または請求項２６に記載の発明において、表示パネルをタッチパネルとし、表示パネルから一度指を離さないと、次の操作に移らない制御を加えたので、選択する意思とは関係なく次の選択を選択する誤りを防ぐことができる。
【０１１３】
請求項２８に記載の発明は、請求項２７に記載の発明において、表示パネルをタッチパネルとし、画面に触れてから一定時間の間に次の操作が無い時には、メインメニュー画面に復帰するので、無意識に画面に触れてしまった時には自動で戻り、使用者が新たに利用する時には常にメインメニュー画面から戸惑いなく利用することができる。
【０１１４】
請求項２９に記載の発明は、請求項１から請求項２８のいずれか一項に記載の情報発信装置を備えた貯蔵庫であり、使用者が操作しやすい表示パネルを提供するとともに、食生活や貯蔵庫の使用に役立つ情報を身近に利用することができる。
【図面の簡単な説明】
【図１】本発明による情報発信装置の実施の形態１の機能ブロック図
【図２】同実施の形態の情報発信装置の画面遷移図
【図３】同実施の形態の情報発信装置の画面遷移図
【図４】同実施の形態の情報発信装置を備えた貯蔵庫の斜視図
【図５】本発明による情報発信装置の実施の形態２の画面遷移図
【図６】本発明による情報発信装置の実施の形態３の画面遷移図
【図７】本発明による情報発信装置の実施の形態４の画面遷移図
【図８】本発明による情報発信装置の実施の形態５の画面遷移図
【図９】本発明による情報発信装置の実施の形態６の画面遷移図
【図１０】本発明による情報発信装置の実施の形態７の画面遷移図
【図１１】従来の冷蔵庫の斜視図
【図１２】従来の冷蔵庫の機能ブロック図
【符号の説明】
１０１  情報発信装置
１０２  制御手段
１０３  情報入力手段
１０７  表示パネル
１０８  スピーカー
１０９  情報記憶手段
１１０  初期設定情報
１１１  トップメニュー情報
１１２  簡単メニュー情報
１１３  計時手段
１１４  経過時間記憶手段
１１５  冷蔵庫制御手段
１１６  情報入出力制御手段
１１７  冷蔵庫設置情報
１１８  冷蔵庫お手入れ情報
１１９  画面設定情報
１２０  食支援情報
１２１  冷蔵庫設定情報
１２２  温度設定情報
１２３  冷蔵庫（貯蔵庫）
２０９  シンプル画面
２１０  トップメニュー画面
２１１  初期設定画面
【図１】
0004560947.tif 000002
【図２】
0004560947.tif 000003
【図３】
0004560947.tif 000004
【図４】
0004560947.tif 000005
【図５】
0004560947.tif 000006
【図６】
0004560947.tif 000007
【図７】
0004560947.tif 000008
【図８】
0004560947.tif 000009
【図９】
0004560947.tif 000010
【図１０】
0004560947.tif 000011
【図１１】
0004560947.tif 000012
【図１２】
0004560947.tif 000013